(57)【要約】【課題】本発明は小規模植物栽培において、廃棄物が発生しないようにすることを課題とする。【解決手段】袋生産供給者において、通気性の袋９内に植物栽培培地１２を充填し、該袋９内の培地１２に植物種子を播種し発芽させ、あるいは菌を移植した後栽培者に供給し、栽培者において該植物Ｐを生育し、該植物Ｐ収穫あるいは枯死後該袋９を袋生産供給者に返送するか、あるいは該袋９に植物種子または苗を添えて栽培者に供給し、栽培者において該袋９内の培地１２に該種子を播種あるいは苗を移植し、そして生育し、該植物Ｐ収穫後該袋９を袋生産供給者に返送する。【選択図】  図６
2006288337.tif 000002
【特許請求の範囲】
【請求項１】
袋生産供給者において、通気性の袋内に植物栽培培地を充填し、該袋内の培地に植物種子を播種し発芽させ、あるいは菌を移植した後栽培者に供給し、栽培者において該植物を生育し、該植物収穫あるいは枯死後該袋を袋生産供給者に返送することを特徴とする植物栽培システム。
【請求項２】
袋生産供給者において、通気性の袋内に植物栽培培地を充填し、該袋に植物種子または苗を添えて栽培者に供給し、栽培者において該袋内の培地に該種子を播種あるいは苗を移植し、そして生育し、該植物収穫後該袋を袋生産供給者に返送することを特徴とする植物栽培システム。
【請求項３】
該袋は上端開口部に閉鎖手段を有し、底部は安定に設置出来るように平坦にされている請求項１または２に記載の植物栽培システム。
【発明の詳細な説明】
【技術分野】
【０００１】
本発明は、小規模植物栽培における廃棄物の少ない植物栽培システムに関するものである。
【背景技術】
【０００２】
従来、家庭で小規模な植物栽培を行なうには、箱、鉢等の容器に培地を充填し、植物種子を播種するか、あるいは苗を移植するか、あるいは既に植物を植えた容器を購入して植物を生育していた（例えば特許文献１〜３参照）。
【０００３】
【特許文献１】特開２００４−２９００５８号公報
【特許文献２】特開２００４−０５７１７３号公報
【特許文献３】特開２００４−３３７０７５号公報
【発明の開示】
【発明が解決しようとする課題】
【０００４】
この方法では、植物を収穫したり枯死したりした後の容器を如何に処理するかが問題であった。
【課題を解決するための手段】
【０００５】
本発明は上記従来の課題を解決するための手段として、袋生産供給者において、通気性の袋９内に植物栽培培地１２を充填し、該袋９内の培地１２に植物種子を播種し発芽させ、あるいは菌を移植した後栽培者に供給し、栽培者において該植物Ｐを生育し、該植物Ｐ収穫あるいは枯死後該袋９を袋生産供給者に返送する植物栽培システム、あるいは袋生産供給者において、通気性の袋９内に植物栽培培地１２を充填し、該袋９に植物種子または苗を添えて栽培者に供給し、栽培者において該袋９内の培地１２に該種子を播種あるいは苗を移植し、そして生育し、該植物Ｐ収穫後該袋９を袋生産供給者に返送する植物栽培システムを提供するものである。
該袋９は上端開口部１３に閉鎖手段４を有し、底部１１は安定に設置出来るように平坦にされていることが望ましい。
【発明の効果】
【０００６】
〔作用〕
栽培者は袋生産供給者より内部に植物栽培培地１２を充填した袋９を購入する。該袋９内の培地１２に既に植物種子を播種して発芽させてあるか、あるいは菌を移植してある場合には、栽培者は該植物Ｐを生育する。また袋９内の培地１２に種子を播種あるいは苗を移植してない場合には、栽培者は袋生産供給者より所望の種子あるいは苗を購入するか、あるいは別途所望の種子あるいは苗を購入して、播種あるいは移植して植物Ｐを生育する。
該植物Ｐの収穫あるいは枯死後は該袋９を培地１２を入れたまゝで袋生産供給者に返送する。
袋生産供給者においては、返送された袋９をそのまゝ使用するか、あるいは該袋９内の培地１２中の植物Ｐ残渣を除去したり、肥料等を追加したり、培地１２を更新したりする再生処理を行ない、種子の播種あるいは苗の移植を行なうか行なうことなく所望ならば種子あるいは苗を添付して栽培者に供給（販売）する。
該袋９は上端開口部１３に閉鎖手段４を有し、底部１１は安定に設置出来るように平坦にされていると、該袋９の輸送の際に上端開口部１３を閉鎖手段４によって閉鎖すれば、該袋９から培地１２がこぼれることがなく、また該袋９は車の荷台あるいは保管棚等に安定に置くことが出来、輸送に便利であるし、また栽培の際も該袋９を地面、棚、台等に安定に設置出来る。
【０００７】
〔効果〕
したがって本発明においては、栽培者側で使用後の袋９を処分する手間がかゝらず、また袋９内の培地１２は繰返し使用されるので、廃棄物の量を最小限することが出来る。
【発明を実施するための最良の形態】
【０００８】
〔実施例〕
図１〜図８に本発明の一実施例を示す。袋生産供給者において、図１に示すようにポリプロピレン等のプラスチックストリップを編成した通気性のシート１の長手方向上辺を折り曲げ、該折り曲げ部の下縁を縫製２固定して筒状の紐通し部３とし、該紐通し部３に紐４を通し、該紐４の両端部を所定長該紐通し部３の両端から外出させる。
【０００９】
次いで図２に示すように該シート１を長手方向で二つ折りにし、重ね合わせ側の側縁５と底縁６とをそれぞれ内側に所定巾折り曲げて二重に縫製７，８固定して図３に示す袋９を形成する。
【００１０】
更に図４に示すように袋９を裏返しにして底縁６を中央に絞り紐１０で縛り、この状態で袋９を表側に返すと図５に示すように底部１１が平坦な袋９となる。
【００１１】
図６に示すように、上記袋９内に培地１２を充填する。該培地１２は土壌、人工土壌、肥料、もみがら、炭、植物栄養剤、植物成長剤、発酵菌を調合したものである。
【００１２】
システムの一つは該袋９の培地１２に所定の植物Ｐの種を播種し、発芽させ育苗する。他のシステムでは該袋９の培地１２に苗を移植する。この状態で該袋９の底部１１は平坦であるから該袋９を地面、棚、台等に安定に設置することが出来る。そして図６に示すように袋９の上端開口部１３を閉鎖手段である紐４の両端を引張って結んで閉鎖する。
【００１３】
上記閉鎖した袋９は販売所の陳列棚等に安定に設置陳列され、栽培者は該袋９を選んで購入し、該袋９は栽培地に輸送される。このように袋９を保管、陳列する際に袋９の上端開口部１３を閉鎖しておけば、烏、害虫等に内部の植物Ｐを損傷、侵蝕されるおそれがなくなる。また輸送中に袋９の内容物がこぼれる心配もなくなる。
【００１４】
図７に示すように、栽培者は該袋９内の植物Ｐを成長させ、収穫する。例えば植物Ｐがねぎの場合、ねぎが成長するにつれて培地１２を増やして根側を覆い、白い部分が長くなるようにしてもよい。また所望なれば散水以外施肥を行ってもよい。また低温時には該袋９の開口部１３を紐４等で閉鎖してもよい。
【００１５】
植物収穫後、あるいは植物Ｐ枯死後は栽培者は該袋９の上端開口部１３を図８に示すように紐４，４で閉鎖し、袋生産供給者に返送する。
【００１６】
返送された袋９は袋生産供給者において、必要ならば培地１２を再生する。培地１２の再生は例えば培地１２中に存在する根、茎等の植物残渣の除去、加熱消毒、醗酵菌等の追加あるいは培地１２の更新等を含む。
【００１７】
上記したように本システムによれば、栽培者側には植物栽培による廃棄物が全く発生しない。
【００１８】
本発明の対象とする植物Ｐは、野菜類、花卉類、ハーブ類、果物類、穀物類、草（芝）類等植物全般にわたる。
【００１９】
上記システム以外、袋生産供給者側では袋９に播種、苗移植をすることなく、袋９のみまたは袋９に種あるいは苗を付けて栽培者に供給してもよい。
【００２０】
該袋９の表面には色彩、模様、記号、あるいは説明文等の文字が印刷されてもよく、また外側に面状発熱体が巻着されてもよい。
【産業上の利用可能性】
【００２１】
本発明の袋は、植物栽培において廃棄物が殆ど発生せず、また培地をリサイクルすることが簡単に出来、小規模栽培に極めて有用である。
【図面の簡単な説明】
【００２２】
図１〜図８は本発明の一実施例を示すものである。
【図１】シート展開図
【図２】シート二つ折状態図
【図３】シート縫製袋形成状態図
【図４】袋裏返し状態図
【図５】袋を表側に返した状態（袋完成）図
【図６】袋内に培地を充填し播種発芽させた状態の説明図（袋閉鎖状態）
【図７】植物栽培状態の説明図
【図８】栽培終了後返送時の状態説明図
【符号の説明】
【００２３】
１          シート
４          紐（閉鎖手段）
９          袋
１２        植物栽培培地
１３        上端開口部
Ｐ          植物
【図１】
2006288337.tif 000003
【図２】
2006288337.tif 000004
【図３】
2006288337.tif 000005
【図４】
2006288337.tif 000006
【図５】
2006288337.tif 000007
【図６】
2006288337.tif 000008
【図７】
2006288337.tif 000009
【図８】
2006288337.tif 000010